(57)【要約】【課題】  車室内に形成されたカップホルダ、コンソールボックス、ドア等所定の空間を、小物入れとしても利用できるようにすることで、小物の保持性能を維持しつつ、不快音を発生することがなく、コスト安価な小物入れとしても車室内空間を有効活用しうる小物保持装置を提供する。【解決手段】  車室内に形成された所定の空間Ｓ１，Ｓ２、同空間Ｓ１，Ｓ２に配置された柔軟質合成樹脂材の空間配置部材７，１３、同空間配置部材７，１３に形成され小物８，９，１０を挟持して保持する状態を維持しうる切り込み部７ｄ、１３ｂ、１３ｃを備える。【選択図】  図１
2005170094.tif 000002
【特許請求の範囲】
【請求項１】
車室内に形成された所定の空間、同空間に配置された柔軟質合成樹脂材の空間配置部材、同空間配置部材に形成され小物を挟持して保持する状態を維持しうる切り込み部を備えたことを特徴とする小物保持装置。
【請求項２】
上記所定の空間は、インストルメントパネル、コンソールボックス、ドア等に設けたカップホルダのカップを保持したり小物を置いたりするための空間であって、上記空間配置部材をスポンジ体で形成したことを特徴とする請求項１記載の小物保持装置。
【請求項３】
上記スポンジ体に形成される切り込み部が、カード類等の薄肉厚の小物を挟持するスリットであることを特徴とする請求項１または２記載の小物保持装置。
【請求項４】
上記スポンジ体に形成される切り込み部が、厚肉厚の小物を挟持する穴であることを特徴とする請求項１または２記載の小物保持装置。
【請求項５】
上記空間配置部材を、一端が開口し他端が閉口した筒状に形成され、上記切り込み部を上記空間配置部材の閉口面に設けたことを特徴とする請求項１乃至４のいずれか一項に記載の小物保持装置。
【発明の詳細な説明】
【技術分野】
【０００１】
本発明は、インストルメントパネル、コンソールボックス、ドア等に設けたカップホルダのカップを保持したり、小物を置いたりするための空間を有効に利用した小物保持装置に関する。
【背景技術】
【０００２】
インストルメントパネルに設けたカップホルダの技術としては、例えば、特開平７−１６４９４５号公報（特許文献１）が、また、コンソールボックスにカップホルダを設けた技術として特開平７ー１１２６４２号公報（特許文献２）が公知である。上記特許文献１のものにあっては、インストルメントパネル内に配置された収納ケースから、車室内へ出し入れ自在に形成したテーブルを設け、テーブルを引き出したときに、保持プレートが展開されるようにし、この保持プレートと容器挿入孔とで形成される空間に飲料水用ボトル等が上から差し込むことにより容器（カップ）を保持できるようにしている。また、上記特許文献２のものは、コンソールボックスを陥没してカップホルダを保持する空間を形成したものである。
また、特開２００３−３４１７４号公報（特許文献３）のものも、カップホルダに関する技術であるが、これはカップ収納用容器のカップ保持空間に、補助的なカップホルダ筒体を着脱自在に空間配置部材として設けるものであり、補助的なカップホルダ筒体内面に断熱材を取り付け、カップホルダ筒体に抱持される飲料水等のボトル、カップ等を保温や保冷したりできるようにしている。
【特許文献１】特開平７−１６４９４５号公報
【特許文献２】特開平７−１１２６４２号公報
【特許文献３】特開２００３−３４１７４号公報
【発明の開示】
【発明が解決しようとする課題】
【０００３】
しかしながら、上記特許文献１のものにあっては、車両を一人乗りで運転する場合には、助手席側のカップホルダは不使用状態にあり、その余ったカップホルダ（空間）に、たばこ、ハイウェイカード等の各種カード、チケット類、携帯電話等をそのまま差し込んで使用しようとしても、底が抜けているので大抵の小物は、抜け落ちてしまい、小物入れとして使用できず、また、上記特許文献２においては、小物をカップホルダに入れることはできるものの、車両走行時の振動によって踊り、不快なガタ音を発生するので小物入れとしては利用しづらくなる問題があった。なお、上記特許文献３のものは、カップ類の保温、保冷を行うようにしたもので、小物入れとして使用するようにした技術ではない。本発明は、このような問題点を解決するために、車室内に形成されたカップホルダ、コンソールボックス、ドア等所定の空間を、小物入れとしても利用できるようにすることで、小物の保持性能を維持しつつ、不快音を発生することがなく、コスト安価で、しかも小物入れとしても車室内空間を有効活用しうる小物保持装置を提供しようとするのが、本発明の目的（課題）である。
【課題を解決するための手段】
【０００４】
上記課題を解決するために、本発明においては次のような手段を講ずることとした。すなわち、請求項１記載の発明は、小物保持装置であって、車室内に形成された所定の空間、同空間に配置された柔軟質合成樹脂材の空間配置部材、同空間配置部材に形成され小物を挟持して保持する状態を維持しうる切り込み部を備えたことを特徴とする。
【０００５】
請求項２記載の発明は、請求項１記載の小物保持装置に係り、上記所定の空間は、インストルメントパネル、コンソールボックス、ドア等に設けたカップホルダのカップを保持したり小物を置いたりするための空間であって、上記空間配置部材をスポンジ体で形成したことを特徴とする。
【０００６】
請求項３記載の発明は、請求項１または２記載の小物保持装置に係り、上記スポンジ体に形成される切り込み部が、カード類等の薄肉厚の小物を挟持するスリットであることを特徴とする。
【０００７】
請求項４記載の発明は、請求項１または２記載の小物保持装置に係り、上記スポンジ体に形成される切り込み部が、厚肉厚の小物を挟持する穴であることを特徴とする。
【０００８】
請求項５記載の発明は、請求項１乃至４のいずれか一項に記載の小物保持装置に係り、上記空間配置部材を、一端が開口し他端が閉口した筒状に形成され、上記切り込み部を上記空間配置部材の閉口面に設けたことを特徴とする。
【発明の効果】
【０００９】
本発明によると、次のような効果を奏することができる。
すなわち、請求項１記載の発明によれば、車室内に形成された所定の空間に、柔軟質合成樹脂材の空間配置部材を配置し、かつ空間配置部材に小物を挟持して保持する切り込み部を形成しているので、空間に装填した空間配置部材の切り込み部に、たばこ、ハイウェイカードやテレフォンカードといったカード類、通行券、ＣＤ（コンパクト・ディスク）等電子情報格納媒体、あるいは、携帯電話機等といった小物を差し込むだけで、簡単に小物を空間配置部材に挟持した状態で保持でき、エンジンのアイドリング振動や車両走行振動に起因するカタカタと鳴る不快音を生じるようなことがなく、車室内の空間を有効活用でき、便利となる効果を奏する。
【００１０】
また、請求項２記載の発明によれば、インストルメントパネル、コンソールボックス、ドア等に設けたカップホルダのカップを保持したり小物を置いたりするための空間に、空間配置部材としてのスポンジ体を嵌め込むことで、カップホルダを容易に小物保持装置として流用でき、コスト安価な小物保持装置を得ることができる利点がある。
【００１１】
また、請求項３記載の発明によれば、スポンジ体に形成される切り込み部をスリットによって形成しているので、スリットに各種カード類、ＣＤ、ＦＤ（フレキシブル・ディスク）、ＭＤ（ミニ・ディスク）等電子情報格納媒体といった薄肉厚の小物が、スポンジ体の具有する弾性力により挟持されるため、上記カード類等の小物の保持安定性に優れ、カード立てとしても使用でき、ひいては快適なドライブを実現できる効果がある。
【００１２】
また、請求項４記載の発明によれば、スポンジ体に形成される切り込み部を、厚肉厚の小物を挟持する穴として形成しているので、例えば、携帯電話機を穴に差し込むだけで携帯電話機を車両走行振動からの振動を遮断して挟持して保持することとなり、不快音を発生することもなく、運転フィーリングの快適な小物保持装置を実現できる利点がある。
【００１３】
また、請求項５記載の発明によれば、一端が開口し他端が閉口した筒状空間配置部材の底部に、切り込み部を設けているので、空間配置部材を裏返してインストルメントパネル、コンソールボックス、ドア等に設けた空間に装着することにより、筆記用具や眼鏡、小銭入れ等種々の小物入れとしても使用することができ、それだけ空間配置部材を多目的に使用できて付加価値の高い小物保持装置を得ることができる。
【発明を実施するための最良の形態】
【００１４】
以下、本発明に係る第１実施形態を、図に基づいて説明する。図１〜図４において、カップホルダ１は、車両の図示しないインストルメントパネル内に配置された固定ケース２と、固定ケース２内に車室内へ出し入れ自在に収納されたスライド部３と、スライド部３下方に軸設されスライド部３が引き出されるに応じて斜め下方に展開する受け部４とから構成されている。スライド部３には、ジュース缶等の飲料水容器であるカップ５（図４参照）を受容する略同一の内径寸法を有する２個の円形状の通孔６が設けられ、スライド部３が車室内に引き出された状態において、通孔６を含むスライド部３と受け部４との間の空間が、車室内に形成される所定の空間Ｓ１となる。
【００１５】
空間Ｓ１には、図２に示すように、外周面が円筒形状をなす柔軟質合成樹脂材のスポンジ体７が上方から嵌め込まれるようになっている。すなわち、このスポンジ体７は、所定の肉厚を有し、一端に開口部７ａを有し他端が閉口面７ｃを備えた円筒形状に形成され、通孔６の内径よりやや大きい外径寸法を有している。
【００１６】
スポンジ体７の閉口面７ｃには、例えば、切り込み部としての３本のスリット７ｄが閉口面７ｃの表裏面を貫通するように形成され、スリット７ｄに薄肉厚小物であるカード類８を差し込むことにより挟持できるようになっている。
【００１７】
従って、本第１実施形態において、カップホルダ１を飲料水等のカップ５を保持するホルダとして使用する場合には、固定ケース２から、図１に示すように、スライダ部３を引き出し、スライダ部３の通孔６上方からカップ５を挿入し、受け部４にカップ５の底部を受け止めさせることで、カップ５を保持することができる。
他方、カップホルダ１に薄肉厚の小物を保持して使用する場合には、図３に示すように、カップ５を挿入しない方の通孔６に、閉口面７ｃを上にした状態のスポンジ体７を挿入する。このとき、円筒部７ｂの外周面を若干縮径するように弾性圧縮変形させながら、受け部４でその開口部７ａ側を受け止められるまで挿入していき、位置決めセットする。スリット７ｄにカード類８の角部を差し込むことで、カード類８はスポンジ体７のスリット７ｄの有する弾性力により保持され、カード立てとして利用できる。
【００１８】
次に、スポンジ体７をその開口部７ａを上向きにした状態（裏返した状態）で通孔６に挿入すると、スポンジ体７は、図４に示すような状態で、空間Ｓ１に配置されることとなる。このとき、スリット７ｄは隙間の存しない状態を維持しているため、スポンジ体７の内部空所７ｅに筆記具９、携帯電話機１０、あるいは小銭入れ（財布）、コイン、たばこ、ライター等を入れても、閉口面７ｃから落下することがなく、これら小物を収納保持することにより、小物入れとしても利用できる。
【００１９】
このように、本第１実施の形態によれば、スポンジ体７のスリット７ｄは、小物としてのカード立てとして、また、裏返すことで、小物入れとして利用できて便利性を発揮し、さらに、スポンジ体７の内部空所７ｅに小物を収容保持することができるため、車両走行振動に起因するカタカタという不快音を発するようなことがなく、快適な車室内居住性を確保でき、一個のスポンジ体７を多目的に使用することで、不使用状態の空いているカップホルダの空間Ｓ１、ひいては、車室内の空間を有効活用でき、しかも、コスト安価な小物保持装置を得ることができる利点がある。
【００２０】
なお、上記第１実施形態では、内部空所７ｅを円筒体に形成した場合であったが、この代わりに、例えば、図５の変形例に示すように、十文字形状にくり抜いた形状の内部空所７ｆに形成するようにしてもよい。これにより、開口部７ａから携帯電話機１０等を挿入するとき、内部空所７ｅの横断面形状を拡大するように弾性変形させながら挿入されるため、携帯電話機１０の保持安定性を増すことができるようになる。図５（b）に示すように、同時に閉口面７cにスリット７dが設けられているため、スポンジ体７の上下を入れ替えて使用することにより、１つのスポンジ体７を携帯電話機１０の保持と、カード立ての両方に使用することが出来る。また、内部空所の形状は、上記以外の形状に種々変形されたものが適宜適用されるのは言うまでもない。
【００２１】
次に、本発明の第２実施形態を説明する。すなわち、図６〜図８において、コンソールボックス１１には、カップホルダ部１２と、窪まった有底の四角形状の空間Ｓ２とが設けられている。空間Ｓ２には、図７に示すように、空間Ｓ２の内周形状に略合致する有底の箱型スポンジ体１３が装着できるようになっている。スポンジ体１３の底部１３ａには、例えば、直線状のスリット１３ｂ、Ｙ字状のスリット１３ｃ等適宜のスリットが切り込まれて形成されている。
【００２２】
従って、コンソールボックス１１の空間Ｓ２に、図７（ａ）に示すように、底部１３ａを上にした状態で装着した場合には、直線スリット１３ｂにカード８を、Ｙ字状スリット１３ｃに携帯電話機１０をそれぞれ押し込んで挿入することにより、これら小物８，１０を円滑に挟持して保持でき、また、スポンジ体１３を、図７（ｂ）のような状態で空間Ｓ２に嵌め込むことで、その内部空所にコイン、財布、筆記具等を収納保持でき、車両走行振動による不快音を生じるような事態を未然に防止でき、空間Ｓ２やカップホルダ１２の空間等を有効活用できる等、上記第１実施形態と略同じ効果を有する。なお、この場合、カップホルダ部１２には、上記第１実施形態のスポンジ体７を挿入して使用できるのは勿論である。
【００２３】
以上、本発明の第１、第２両実施形態を図面により詳述してきたが、具体的な構成はこの実施形態に限られるものではなく、本発明の要旨を逸脱しない範囲の設計変更等があっても本発明に含まれる。
例えば、第１実施形態のカップホルダ１は、インストルメントパネルに引き出し自在に設けた態様の場合であったが、第２実施形態のように、コンソールボックス１１に設けたカップホルダ１２にも適用でき、また、車両ドアやシート装置の背凭れ、あるいはインストルメントパネル上面に着脱自在に設けられるカップホルダ等にも適宜形成した形状を有するスポンジ体７を装着するようにしてもよいものである。
また、第２実施形態では、コンソールボックス１１に形成された空間Ｓ２にスポンジ体１３を設ける態様であったが、これ以外の空間として、例えば、後部座席の中央に設けた開閉蓋付きアームレスト装置であって、その蓋を開けることで内部に形成されたカップホルダや適宜空間（小物置き用の窪み）が形成された部位にも応用できる。
さらに、ドア内側のドア用アームレストに空所が形成される場合には、その空所（空間）にも第２実施形態のようなスポンジ体を装着するようにしてもよい。
また、第１、第２両実施形態におけるスリット７ｄ、１３ｂの形状は直線状に形成したが、係るスリットの形状は、波線等どのような形状でもよい。また、内部空間７ｅ、７ｆの形状もこれらに限定されるものでなく、適宜の形状であってもよいものである。
【図面の簡単な説明】
【００２４】
【図１】本発明の第１実施形態におけるカップホルダの外観斜視図である。
【図２】（ａ）は、第１実施形態におけるスポンジ体の外観斜視図、（ｂ）は（ａ）のＡ−Ａ線における矢視断面図である。
【図３】第１実施形態における使用状態を説明する外観斜視図である。
【図４】第１実施形態における別の使用状態を説明する外観斜視図である。
【図５】（ａ）は第１実施形態の変形例におけるスポンジ体の外観斜視図、（ｂ）は（ａ）のＢ−Ｂ線における矢視断面図、（ｃ）はその使用状態を示す外観斜視図（カップホルダは図示しない）である。
【図６】第２実施形態におけるコンソールボックスの外観斜視図である。
【図７】（ａ）は上記コンソールボックスに適用されるスポンジ体の外観斜視図、（ｂ）は（ａ）のスポンジ体を裏返して示した外観斜視図である。
【図８】第２実施形態の使用状態を示す外観斜視図である。
【符号の説明】
【００２５】
１  カップホルダ
２  固定ケース
３  スライド部
４  受け部
５  カップ
６  通孔
７  スポンジ体
７ａ  開口部
７ｂ  円筒部
７ｃ  閉口面
７ｄ  スリット
７ｅ、７ｆ  内部空所
８  カード（類）  
９  筆記具
１０  携帯電話機
１１  コンソールボックス
１２  カップホルダ部
１３  スポンジ体
１３ａ  底部
１３ｂ  直線状スリット
１３ｃ  Ｙ字状スリット
Ｓ１，Ｓ２  空間
【図１】
2005170094.tif 000003
【図２】
2005170094.tif 000004
【図３】
2005170094.tif 000005
【図４】
2005170094.tif 000006
【図５】
2005170094.tif 000007
【図６】
2005170094.tif 000008
【図７】
2005170094.tif 000009
【図８】
2005170094.tif 000010